(57)【要約】【課題】凝縮した硫酸によるシリンダライナの腐食摩耗を簡易かつ低コストな構成で抑止可能とする。【解決手段】注油孔１８は、ピストン１２が上死点ＴＤＣから下降したとき燃焼空間ｃに曝されるシリンダライナの摺動面上部領域Ｚに形成されている。注油孔１８に注油器２２が挿着され、注油器２２のノズル部４６には大径潤滑油供給孔４８ａ及び小径潤滑油供給孔４８ｂが形成されている。大径潤滑油供給孔４８ａ及び小径潤滑油供給孔４８ｂは、夫々大径開口５０ａ及び小径開口５０ｂを有している。制御装置３８によって、ピストン１２が注油孔１８より下方位置にある時、大径開口５０ａ及び小径開口５０ｂから潤滑油ｒが噴射される。【選択図】図１
2015021429.tif 000002
【特許請求の範囲】
【請求項１】
シリンダライナの内部に摺動自在に配置されたピストンの上方に形成される燃焼空間に潤滑油を噴射するシリンダ注油装置において、
前記ピストンが上死点から下降したとき前記燃焼空間に曝される前記シリンダライナの上部摺動面に形成された注油孔に挿着され、前記シリンダライナの内部へ潤滑油を噴射する注油器と、
前記注油器の先端に設けられたノズル部に形成され、２種類以上の異なる口径を有する注油口と、
前記ピストンが前記注油孔より下方に位置した時、前記注油器から潤滑油を前記燃焼空間に噴射させる制御装置とを備えていることを特徴とするシリンダ注油装置。
【請求項２】
前記注油口のうち口径が小さい注油口は、口径が大きい注油口より前記シリンダライナの半径方向からシリンダライナの上方へ向いた傾斜角度が大きくなるように構成されていることを特徴とするシリンダ注油装置。
【請求項３】
単一の前記注油器のノズル部に口径が異なる２種類以上の注油口が形成されていることを特徴とする請求項１又は２に記載のシリンダ注油装置。
【請求項４】
少なくとも２個以上の前記注油器が前記シリンダライナに配置されると共に、各注油器のノズル部に１個の注油口が形成され、
前記少なくとも２個以上の注油器のうち、一方の注油器のノズル部に形成された注油口と、他方の注油器のノズル部に形成された注油口とは異なる口径を有していることを特徴とする請求項１又は２に記載のシリンダ注油装置。
【請求項５】
複数の前記注油器が前記シリンダライナの周方向に分散配置され、
前記複数の注油器は、グループ毎に共通の潤滑油供給系統を備えた複数のグループに分かれ、
前記シリンダライナが設けられた内燃機関の負荷検出器を備え、
前記制御装置は、前記負荷検出器で検出された検出値に基づいて、前記内燃機関が高負荷運転のとき、前記潤滑油供給系統の全部から潤滑油を噴射させ、前記内燃機関が低負荷運転のとき、前記潤滑油供給系統のうちの一部のみから潤滑油を噴射させるように制御することを特徴とする請求項１又は２に記載のシリンダ注油装置。
【請求項６】
前記シリンダライナが舶用ディーゼル機関に設けられたシリンダライナであることを特徴とする請求項１に記載のシリンダ注油装置。
【発明の詳細な説明】
【技術分野】
【０００１】
本発明は、内燃機関のシリンダライナに潤滑油を供給してシリンダライナの腐食摩耗を抑制するシリンダ注油装置に関する。
【背景技術】
【０００２】
従来、内燃機関のシリンダライナとピストンリングとの間に潤滑油を供給して摩耗等を防止するシリンダ注油装置が知られている。例えば、特許文献１には、ピストンリングの間に形成されるリング間空所に潤滑油を供給し、該リング間空所に潤滑油を供給することで、潤滑性能を得る注油システムが開示されている。また、特許文献２には、シリンダヘッドに注油弁を設け、該注油弁から燃焼空間に潤滑油を噴射することで、シリンダライナとピストンリング間の摺動面の潤滑性能を維持する装置が開示されている。
【０００３】
粗悪油を使用する舶用ディーゼル機関では、燃焼ガス中にＳＯ３が生成される。低負荷運転時にシリンダライナの温度が低下すると、シリンダライナの上部領域に硫酸が凝縮し、凝縮した硫酸によってシリンダライナの腐食摩耗が進行するという問題がある。燃焼ガスと常時接する領域は高温となり、硫酸が蒸発するため、シリンダライナの腐食摩耗はあまり起らない。凝縮した硫酸は、比較的温度が低くなる燃焼空間の下方の領域、即ち、ピストンの上死点と下死点との間の領域、即ち、ピストンが上死点から下降したとき燃焼空間に曝されるピストンリングとの上部摺動面（以下「摺動面上部領域」と言う。）で付着しやすい。そのため、シリンダライナの腐食摩耗は、摺動面上部領域で顕著となる。
【０００４】
この対策として、シリンダライナに供給される潤滑油に中和剤を入れ、この中和剤で硫酸を中和する対策が採られている。しかし、注油量はディーゼル機関の回転数や出力に応じて制御されるため、低負荷運転時には注油量が減少し、潤滑油が前記摺動面上部領域に十分届かず、中和剤が不足してシリンダライナの摩耗を加速してしまう。
なお、特許文献１に開示された注油システムでは、リング間空所に潤滑油を供給するために噴射タイミングを制御するのが難しく、かつ潤滑油の拡散範囲が比較的限られるという問題がある。また、特許文献２に開示された注油装置も、注油弁から噴射された潤滑油は燃焼空間で蒸発してしまうため、前記摺動面上部領域に潤滑油を十分に塗布することができない。
【０００５】
凝縮した硫酸によるシリンダライナの腐食摩耗に対する対策が、特許文献３に開示されている。この腐食摩耗対策は、内燃機関の運転条件によってシリンダライナの摩耗量や摩耗の位置に違いがあることに着目し、シリンダライナの上部領域でシリンダライナの周方向に上下に２列に複数の注油孔を形成し、該注油孔の列毎に注油の位置、注油量及び注油タイミングを変えることで、シリンダライナの摩耗を低減するようにしている。
また、特許文献４には、凝縮した硫酸によるシリンダライナの腐食摩耗に対する対策として、内燃機関の運転条件に応じて、アルカリ価の異なる潤滑油を供給するようにした注油装置が開示されている。
【先行技術文献】
【特許文献】
【０００６】
【特許文献１】特開２００６−２４１９８９号公報
【特許文献２】特開平０７−０３４８３７号公報
【特許文献３】実開昭６２−１６２３１８号の明細書及び図面
【特許文献４】特開昭６３−０６５１０９号公報
【発明の概要】
【発明が解決しようとする課題】
【０００７】
特許文献３の開示された注油装置は、シリンダライナの周方向に２列に形成された多数の注油孔に夫々注油棒を装着する必要があり、さらに、内燃機関の運転条件に応じて、注油孔の列毎に注油の位置、注油量及び注油タイミングを変えるための装置構成及び制御装置が複雑かつ高価となる問題がある。
また、特許文献４に開示された注油装置も、内燃機関の運転条件に応じて、シリンダライナにアルカリ価の異なる潤滑油を供給するための装置構成及び制御装置が複雑かつ高価となる問題がある。
【０００８】
本発明は、前記の問題点に鑑みなされたものであり、凝縮した硫酸によるシリンダライナの腐食摩耗を簡易かつ低コストな構成で抑止可能とすることを目的とする。
【課題を解決するための手段】
【０００９】
前記目的を達成するため、本発明のシリンダ注油装置は、ピストンが上死点から下降したとき前記燃焼空間に曝されるシリンダライナの上部摺動面（摺動面上部領域）に形成された注油孔に挿着され、シリンダライナの内部へ潤滑油を噴射する注油器と、注油器の先端に設けられたノズル部に形成され、２種類以上の異なる口径を有する注油口と、ピストンが注油孔より下方に位置した時、注油器から潤滑油を燃焼空間に噴射させる制御装置とを備えているものである。
【００１０】
前記構成においては、１個の注油器のノズル部に２種類以上の異なる口径を有する注油口を形成する場合と、シリンダライナに複数の注油器を挿着し、各注油器のノズル部に異なる口径の注油口を形成する場合とを含むものとする。
前記構成において、前述のように、シリンダライナの腐食摩耗は、シリンダライナの摺動面上部領域で顕著となるため、注油孔は該摺動面上部領域に形成される。また、制御装置により、ピストンが注油孔より下方位置にある時、注油器から潤滑油が噴射される。
【００１１】
口径が大きい注油口から噴射された潤滑油は、油量が多く直進性があるため到達距離が長い。そのため、シリンダライナの壁面に到達しやすい。また、噴射される潤滑油量が多いため、シリンダライナ壁面への潤滑油の付着量を増加できる。
一方、口径が小さい注油口から噴射される潤滑油の液滴は小さいため、口径が大きい注油口から噴射された潤滑油より直進性は劣るが、燃焼ガスの流れに乗ってシリンダ上部へ浮遊しやすい。そのため、シリンダ上部へ遠くまで到達でき、シリンダライナ上部領域への潤滑油の付着量を増加できる。
【００１２】
このように、注油棒には口径が異なる２種類以上の注油口が形成されているため、シリンダライナの摺動面上部領域への潤滑油の付着量、及び該摺動面上部領域より上方領域への潤滑油の付着量を増加できる。これによって、凝縮した硫酸によるシリンダライナの腐食摩耗を効果的に抑制できる。
また、注油棒に２種類以上の注油口を形成することで、シリンダライナに装着される注油棒の数を抑制でき、装置構成を簡素化かつ低コスト化できる。
なお、注油口はシリンダライナの内周面に沿う方向へ向けていることが望ましい。これによって、潤滑油がシリンダライナの内周面に到達しやすくなる。
【００１３】
本発明の一態様として、２種類以上の注油口のうち口径が小さい注油口は、口径が大きい注油口よりシリンダライナの半径方向からシリンダライナの上方へ向いた傾斜角度が大きくなるように構成することができる。これによって、口径が小さい注油口から噴射された潤滑油をシリンダ上部へ遠くまで到達でき、シリンダライナ上部領域への潤滑油の付着量を増加できる。
【００１４】
本発明の一態様として、単一の注油器の先端に口径が異なる２種類以上の注油口を形成することができる。これによって、シリンダライナに装着する注油器の数を抑えることができ、装置構成を簡素化かつ低コスト化できる。
この態様において、複数の注油器をシリンダライナの周方向に配置し、夫々の注油器に２種類以上の注油口を形成するようにすることができる。さらには、各注油器における注油口からの潤滑油の噴射タイミング及び噴射時間を制御することができる。
【００１５】
本発明の一態様として、少なくとも２個以上の注油器がシリンダライナに配置されると共に、注油器のノズル部に１個の注油口が形成され、注油器のうち一方の注油器のノズル部に形成された注油口と、他方の注油器のノズル部に形成された注油口とは異なる口径を有するようにすることができる。
これによって、各注油器の潤滑油の噴射タイミングを適宜変えることで、シリンダライナの腐食摩耗を抑制する上で最適な噴射分布が可能となる。
【００１６】
本発明の一態様として、複数の注油器がシリンダライナの周方向に分散配置され、これら注油器は、グループ毎に共通の潤滑油供給系統を備えた複数のグループに分かれ、かつシリンダライナが設けられた内燃機関の負荷検出器を備えると共に、制御装置によって、負荷検出器で検出された検出値に基づいて、内燃機関が高負荷運転のとき、潤滑油供給系統の全部から潤滑油を噴射させ、内燃機関が低負荷運転のとき、潤滑油供給系統のうちの一部のみから潤滑油を噴射させるように制御することができる。
【００１７】
潤滑油の給油量が内燃機関の回転数や出力に応じて制御される場合、低負荷運転時には給油量が減少する。これに対し、内燃機関の負荷状態に応じて、グループ毎に潤滑油の供給を制御することで、内燃機関の負荷状態に応じて各注油器への給油量を制御できる。
例えば、内燃機関が高負荷運転のとき、制御装置によって潤滑油供給系統の全部から潤滑油を供給させ、内燃機関が低負荷運転のとき、制御装置によって潤滑油供給系統の一部のみから潤滑油を供給させるようにすることができる。これによって、低負荷運転時に給油量が減少したとき、注油器１個当たりの噴射量を増加させることで、潤滑油の安定噴射が可能になる。
【００１８】
本発明は、低負荷運転時にシリンダライナの温度が低下し、シリンダライナの摺動面上部領域に硫酸が凝縮しやすい舶用大型ディーゼル機関に適用されて好適であり、凝縮した硫酸によるシリンダライナの腐食摩耗を有効に抑止できる。
【発明の効果】
【００１９】
本発明によれば、シリンダライナの摺動面上部領域に、口径が異なる２種類以上の注油口が形成された注油器を装着することで、簡易かつ低コストな構成でシリンダライナの腐食摩耗を有効に抑制でき、シリンダライナの寿命を長期化できる。
【図面の簡単な説明】
【００２０】
【図１】本発明の第１実施形態に係るシリンダ注油装置の系統図である。
【図２】前記シリンダ注油装置の潤滑油供給系統を示す系統図である。
【図３】前記シリンダ注油装置の一部拡大図である。
【図４】図３中のＡ―Ａ線に沿う断面図である。
【図５】本発明の第２実施形態に係るシリンダ注油装置の潤滑油供給系統を示す系統図である。
【発明を実施するための形態】
【００２１】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２２】
（実施形態１）
次に、本発明を舶用ディーゼル機関のシリンダライナに適用された第１実施形態を図１〜図４により説明する。図１において、シリンダライナ１０の内部にピストン１２が設けられ、ピストン１２はピストンロッド１６を介してクランク軸（図示省略）に接続され、該クランク軸の動きに連動して、シリンダライナ１０の軸方向に往復動する。ピストン１２の頂面１２ａ上方に燃焼空間ｃが形成される。ピストン１２の外周面に形成された溝に、上下方向に複数のピストンリング１４が嵌装され、ピストンリング１４はシリンダライナ１０の内周面に摺接し、ピストン１２とシリンダライナ１０との間の隙間を遮断している。図中、１２’はピストン１２が上死点ＴＤＣの位置にあるときのピストン頂面を示している。
【００２３】
ピストン１２は、シリンダライナ１０の内部で上死点ＴＤＣと下死点ＢＴＣとの間を往復動する。上死点ＴＤＣと下死点ＢＤＣとの間のシリンダライナ１０の内周面をシリンダライナ１０の摺動面上部領域Ｚと名付ける。前述のように、粗悪油を使用する舶用ディーゼル機関では、燃焼ガス中にＳＯ３が生成される。低負荷運転時にシリンダライナの温度が低下すると、シリンダライナ１０の上部領域に硫酸が凝縮し、凝縮した硫酸によってシリンダライナの腐食摩耗が進行するという問題がある。
【００２４】
シリンダライナ１０の燃焼空間に面した領域は高温となり、硫酸が蒸発するため、シリンダライナ１０の腐食摩耗はあまり起らない。凝縮した硫酸は、比較的温度が低くなる燃焼空間ｃの下方の領域、即ち、ピストン１２の上死点ＴＤＣと下死点ＢＤＣとの間の領域であって、ピストン１２の上死点ＴＤＣの下方でかつピストン１２が上死点ＴＤＣから下降したとき燃焼空間ｃに曝されるピストンリング１６との摺動面である摺動面上部領域Ｚに付着しやすい。そのため、シリンダライナ１０の腐食摩耗は、摺動面上部領域Ｚで顕著となる。
【００２５】
以下、本実施形態に係るシリンダ注油装置２０Ａの構成を説明する。図１において、シリンダライナ１０に、シリンダライナ１０の内周面と外周面とに貫通する１０個の注油孔１８が穿設されている。注油孔１８は、摺動面上部領域Ｚのうち特に凝縮した硫酸が付着しやすい上部領域に形成されている。注油孔１８はシリンダライナ１０の周方向に、即ち同一高さ位置に水平方向にほぼ等間隔で配置されている。夫々の注油孔１８に注油器２２が挿着されている。
【００２６】
図２に示すように、各注油器２２とヘッダ２６ａ又は２６ｂとの間に潤滑油供給管２４が接続されている。各注油器２２は、潤滑油供給管２４を介してシリンダライナ１０の周方向で、交互に１つおきにヘッダ２６ａ又はヘッダ２６ｂに接続されている。ヘッダ２６ａに潤滑油供給管２８ａが接続され、ヘッダ２６ｂに潤滑油供給管２８ｂが接続されている。潤滑油供給管２８ａ及び２８ｂは主管３０を介して潤滑油タンク３２に接続されている。潤滑油供給管２８ａ及び２８ｂには夫々電磁開閉弁３４ａ及び３４ｂが設けられ、主管３０にはポンプ３６が設けられている。
潤滑油タンク３２の潤滑油は、ポンプ３６によってヘッダ２６ａ又は２６ｂを介して各注油器２２に送られる。
【００２７】
また、開閉弁３４ａ及び３４ｂの開閉動作を制御する制御装置３８が設けられている。制御装置３８には、クランク角センサ４０からクランク角の検出値が送られる。また、制御装置３８には、回転数検出器４２からエンジン回転数の検出値が送られ、負荷検出器４４からエンジン負荷の検出値が送られる。制御装置３８では、これらの検出値に基づき、制御装置３８は、電磁開閉弁３４ａ及び３ｂの開弁時期（タイミング）及び開弁時間を制御する。
【００２８】
図３及び図４に示すように、注油器２２は、シリンダライナ１０に穿設された注油孔１８に挿着されている。各注油器２２は潤滑油供給管２４に接続され、潤滑油供給管２４から潤滑油が送られる。注油器２２の先端に設けられた細径のノズル部４６の内部には、軸方向に並列に２本の大径潤滑油供給孔４８ａ及び小径潤滑油供給孔４８ｂが形成されている。大径潤滑油供給孔４８ａの孔径は小径潤滑油供給孔４８ｂの孔径より大きく構成されている。これら潤滑油供給孔４８ａ及び４８ｂは、ノズル部４６の最先端部で開口している。ノズル部４６の最先端位置は、シリンダライナ１０の内周面１０ａより燃焼空間ｃへ突出しないように構成されている。
【００２９】
注油孔１８が開口したシリンダライナ１０の内周面には、半球形のえぐり部１８ａが刻設されている。ノズル部４６の最先端には傾斜面４７が形成されており、大径潤滑油供給孔４８ａの大径開口５０ａ及び小径潤滑油供給孔４８ｂの小径開口５０ｂは、傾斜面４７に開口し、大径開口５０ａのほうが小径開口５０ｂより傾斜面４６ａの先端側に位置している。大径開口５０ａは小径開口５０ｂより大きい口径を有している。
【００３０】
傾斜面４７は曲面形状を有しており、小径開口５０ｂは大径開口５０ａより傾斜面４７の上方側領域に開口している。大径開口５０ａ及び小径開口５０ｂの上下方向の向きは、両方とも水平方向に対しシリンダライナ上方側へ傾斜している。さらに、小径開口３０ｂが大径開口５０ａより傾斜面４６ａの上方に位置している分だけ、（小径開口５０ｂの水平方向に対する傾斜角度ｂ）＞（大径開口５０ａの水平方向に対する傾斜角度ａ）の関係にある。
また、図４に示すように、水平面内における大径開口５０ａ及び小径開口５０ｂの向きは、共に同一角度でシリンダライナ１０の内周面１０ａに沿う方向へ向けられている。
【００３１】
シリンダライナ１０の内部では、シリンダ内部の燃焼空間ｃには、吸気ポート（図示省略）から吸入される給気などによってスワールｓが形成される。大径開口５０ａ及び小径５０ｂは、これらの開口から噴射される潤滑油ｒ１及びｒ２がスワールｓの流れ方向に沿うように配置されている。
【００３２】
かかる構成において、クランク角センサ４０で得られたクランク角の検出値が制御装置３８に入力され、制御装置３８によって、ピストン１２が注油器２２の設置位置より下方にある時、注油器２２から潤滑油ｒが噴射されるように、電磁開閉弁４０ａ及び４０ｂの開閉動作を制御する。また、回転数検出器４２で得られたエンジン回転数、及び負荷検出器４４の検出値から、エンジン負荷状態を検出する。これらの検出値から、制御装置３８によって、高負荷運転時には、電磁開閉弁４０ａ及び４０ｂを両方とも開放し、すべての注油器２２から潤滑油ｒを噴射させる。また、低負荷運転時には、制御装置３８によって電磁開閉弁４０ａ及び４０ｂの一方のみを解放し、半数の注油器２２のみから潤滑油ｒを噴射させる。
【００３３】
潤滑油の給油量がエンジンの回転数や出力に応じて制御される場合、低負荷運転時には給油量が減少する。本実施形態では、制御装置３８によって前記のように電磁開閉弁４０ａ及び４０ｂの開閉動作を制御することで、低負荷運転時に注油器１個当たりの注油量を確保できる。
【００３４】
また、潤滑油供給管２４から各注油器２２に送られた潤滑油ｒは、注油器２２のノズル部４６に形成された大径潤滑油供給孔４８ａ及び小径潤滑油供給孔４８ｂを経て、大径開口５０ａ及び小径開口５０ｂから噴射される。孔径が大きい大径潤滑油供給孔５０ａから噴射された潤滑油ｒ１は直進性があり、到達距離が長い。そのため、シリンダライナ１０の壁面に到達しやすく、かつ噴射油量が多いため、シリンダライナ壁面への潤滑油の付着量を増加できる。
【００３５】
一方、孔径が小さい小径潤滑油供給孔５０ｂから噴射された潤滑油ｒ２は、液滴が小さいため、大径開口５０ａから噴射された潤滑油より直進性は劣るが、燃焼ガスに乗ってシリンダ上部まで浮遊できる。小径開口５０ｂは水平方向に対し大きい傾斜角度ａでシリンダ上部側へ向けられているので、小径開口５０ｂから噴射された潤滑油ｒ２はシリンダ上部側へ遠くまで到達できる。
【００３６】
また、大径開口５０ａ及び小径開口５０ｂの向きは、シリンダライナ１０の内周面１０ａに沿う方向へ向けられているので、潤滑油がシリンダライナ１０の内周面１０ａに到達しやすくなる。
さらに、小径開口３６ｂはスワールｓの流れ方向に向いているので、小径開口３６ｂから噴射された潤滑油ｒ２はスワールｓに乗って、シリンダ上部へ広く散布できる。
これによって、摺動面上部領域Ｚへの潤滑油の付着量を増加できると共に、摺動面上部領域Ｚより上方領域への潤滑油の付着量を増加できる。そのため、凝縮した硫酸によるシリンダライナの腐食摩耗をシリンダライナ１０の上部領域全範囲に亘って効果的に抑制でき、シリンダライナ１０を長寿命化できる。
【００３７】
また、１個の注油棒２２に孔径が異なる２種類の潤滑油供給孔４８ａ及び４８ｂを形成することで、シリンダライナ１０に装着される注油器２２の数を抑制でき、装置構成を簡素化かつ低コスト化できる。
【００３８】
なお、本実施形態では、シリンダライナ１０の周方向に配置された複数の注油器２２の潤滑油供給管２４を交互に別なヘッダ２６ａ又は２６ｂに接続するようにしたが、かかる構成に拘泥される必要はない。例えば、複数の注油器２２をランダムに別なヘッダに接続するようにしてもよい。さらに、複数の注油器を３つのグループに分け、夫々３系統以上の潤滑油供給系統に別々に接続するようにしてもよい。
【００３９】
（実施形態２）
次に、本発明の第２実施形態を図５に基づいて説明する。本実施形態のシリンダ注油装置２０Ｂは、大径潤滑油供給孔４８ａのみを有する注油棒２２ａと、小径潤滑油供給孔４８ｂのみを有する注油棒２２ｂとを、シリンダライナ１０の周方向に交互に配置した例である。即ち、５個の注油棒２２ａと５個の注油器２２ｂとが、シリンダライナ１０の周方向に交互に配置されている。注油棒２２ａ及び２２ｂのノズル部４６ａ及び４６ｂは、前記第１実施形態のノズル部４６のような傾斜面４７を有している。注油棒２２ａのノズル部４６ａには大径開口５０ａが形成され、注油棒２２ｂのノズル部４６ｂには小径開口５０ｂが形成されている。
【００４０】
大径開口３６ａ及び小径開口３６ｂは、第１実施形態と同様に、水平面内においてはシリンダライナ１０の内周面１０ａに沿う方向へ向けられ、上下方向の向きは、両方とも水平方向に対しシリンダ上方へ傾斜している。また、（小径開口５０ｂの水平方向に対する傾斜角度ｂ）＞（大径開口５０ａの水平方向に対する傾斜角度ａ）の関係にある。なお、注油棒２２ａ及び２２ｂが挿着される注油孔１８の配置位置は、前記第１実施形態と同一である。各注油器２２ａに接続された潤滑油供給管２４ａはヘッダ２６ａに接続され、各注油器２２ｂに接続された潤滑油供給管２４ｂはヘッダ２６ｂに接続されている。その他の構成は第１実施形態と同一である。
【００４１】
かかる構成において、制御装置３８は、クランク角センサ４０で得られたクランク角の検出値に基づいて、ピストン１２が注油器２２ａ又は２２ｂの設置位置より下方にある時、注油器２２から潤滑油ｒ噴射されるように、電磁開閉弁４０ａ及び４０ｂの開閉動作を制御する。また、制御装置３８によって、エンジンの高負荷運転時には、電磁開閉弁４０ａ及び４０ｂを両方とも開放する。一方、低負荷運転時には、電磁開閉弁４０ａ及び４０ｂを交互に開放するようにする。これによって、低負荷運転時の注油器１個当たりの潤滑油噴射量を増加でき、安定噴射が可能になる。
【００４２】
なお、本実施形態では、注油器２２ａと注油器２２ｂとをシリンダライナ１０の周方向に交互に配置したが、かかる構成以外に、注油器２２ａ及び注油器２２ｂをシリンダライナ１０の周方向にランダムに配置するようにしてもよい。
また、各注油棒２２ａ及び２２ｂの潤滑油の噴射タイミング及び噴射時間は種々選択できる。
【産業上の利用可能性】
【００４３】
本発明によれば、内燃機関のシリンダライナの腐食摩耗を有効に抑制でき、特に低負荷運転を多用する舶用大型ディーゼル機関に好適である。
【符号の説明】
【００４４】
１０                                  シリンダライナ
１０ａ                              内周面
１２、１２’                          ピストン
１２ａ                              頂面
１４                                  ピストンリング
１６                                  ピストンロッド
１８                                  注油孔
２０Ａ、２０Ｂ                        シリンダ注油装置
２２、２２ａ、２２ｂ                  注油器
２４、２４ａ、２４ｂ、２８，２８ａ、２８ｂ    潤滑油供給管
２６，２６ａ、２６ｂ                  ヘッダ
３０                                  主管
３２                                  潤滑油タンク
３４ａ、３４ｂ                        電磁開閉弁
３６                                  ポンプ
３８                                  制御装置
４０                                  クランク角センサ
４２                                  回転数検出器
４４                                  負荷検出器
４６、４６ａ、４６ｂ                  ノズル部
４７                                  傾斜面
４８ａ                                大径潤滑油供給孔
４８ｂ                                小径潤滑油供給孔
５０ａ                                大径開口
５０ｂ                                小径開口
ＴＤＣ                                上死点
ＢＤＣ                                下死点
Ｚ                                    摺動面上部領域
ａ、ｂ                                傾斜角度
ｃ                                    燃焼空間
ｒ、ｒ１、ｒ２                        潤滑油
ｓ                                    スワール
【図２】
2015021429.tif 000003
【図３】
2015021429.tif 000004
【図４】
2015021429.tif 000005
【図５】
2015021429.tif 000006
【図１】
2015021429.tif 000007